(57)【要約】【課題】乗員に対する負担を軽減しつつ、適切なタイミングで灰皿トレイを開閉することができる灰皿装置を提供すること。【解決手段】車室内の熱源の有無を検知する温度放射計等の熱源検知部１４を、車室内に設ける。熱源検知部１４からの検知信号に基づいて、タバコの火による熱源の存在が検知されたときに、灰皿開閉機構１２の駆動により灰皿トレイ１０を開く。タバコの消火により、熱源の不存在が検知されると、灰皿開閉機構１２の駆動により灰皿トレイ１０を閉じる。【選択図】        図２
2004224256.tif 000002
【特許請求の範囲】
【請求項１】
車両の灰皿トレイを開閉する灰皿装置であって、
車室内に開閉自在に装着された灰皿トレイと、
前記灰皿トレイを開閉するための灰皿開閉機構と、
車室内の熱源の有無を検知する熱源検知部と、
前記熱源検知部からの検知信号に基づいて、前記車室内の熱源の有無に応じて前記灰皿トレイの開閉を制御する開閉制御手段と、
を備えた灰皿装置。
【発明の詳細な説明】
【０００１】
【発明の属する技術分野】
この発明は、車両に搭載される灰皿装置に関する。
【０００２】
【従来の技術】
従来、自動車の室内の灰皿を使用する際には、手動で該灰皿を開閉していた。
【０００３】
すなわち、運転者又は同乗者がタバコを吸う場合には、手動操作で灰皿を引出し、或は、ワンタッチ式に灰皿を開き、また、タバコを吸い終ったときには灰皿を押戻していた。
【０００４】
このような灰皿の開閉作業が、運転者或は同乗者にとって負担となっていた。
【０００５】
ここで、従来の灰皿制御装置として、タバコの煙を感知したときに灰皿を開き、灰皿にタバコが置かれて該灰皿の温度が所定温度以上になったときに灰皿を閉じるようにしたものがある（特許文献１参照。）。
【０００６】
【特許文献１】
実開昭６１−１３９８３６号公報
【０００７】
【発明が解決しようとする課題】
しかしながら、特許文献１に開示の灰皿制御装置では、タバコを吸い終っていない段階においても、火のついたタバコを灰皿においてしまうと、所定以上の温度を検知し、該灰皿が誤って閉じてしまう恐れがある。
【０００８】
そこで、この発明の課題は、乗員に対する負担を軽減しつつ、適切なタイミングで灰皿トレイを開閉することができる灰皿装置を提供することにある。
【０００９】
【課題を解決するための手段】
上記課題を解決すべく、請求項１記載の発明は、車両の灰皿トレイを開閉する灰皿装置であって、車室内に開閉自在に装着された灰皿トレイと、前記灰皿トレイを開閉するための灰皿開閉機構と、車室内の熱源の有無を検知する熱源検知部と、前記熱源検知部からの検知信号に基づいて、前記車室内の熱源の有無に応じて前記灰皿トレイの開閉を制御する開閉制御手段と、を備えたものである。
【００１０】
【発明の実施の形態】
以下、この発明の実施の形態に係る灰皿装置について説明する。
【００１１】
図１は灰皿装置が適用された車室の一例を示す概略斜視図であり、図２は灰皿装置の電気的構成を示すブロック図である。
【００１２】
この灰皿装置は、灰皿トレイ１０と、灰皿開閉機構１２と、熱源検知部１４と、開閉制御装置１６とを備えている。
【００１３】
灰皿トレイ１０は、車室内に開閉自在に装着されている。本実施の形態では、ダッシュボード２０の前面中央部の下部、より具体的には、ダッシュボード２０のオーディオ収納スペース２１の下部に開閉自在に取付けられている。
【００１４】
灰皿開閉機構１２は、電動モータ等のアクチュエータ及びギヤ機構等により構成されており、上記開閉制御装置１６からの制御に応じて灰皿トレイ１０を開閉する。
【００１５】
熱源検知部１４は、車室内における所定温度以上（５００度以上）の熱源の有無を検知し、該熱源の検知時に検知信号を出力する。このような熱源検知部１４としては、例えば、物体からの熱放射エネルギーを利用して温度を測定する放射温度計、特に、火に含まれている紫外線を検知することで火を検知する放射温度センサを用いることができる。
【００１６】
このような熱源検知部１４は、車両の前部座席に搭乗した人がタバコに火を着けると、当該タバコの火を検知可能な位置に取付けられている。例えば、運転者と助手席搭乗者が持つタバコの火を検知可能な位置としては、運転席と助手席との間の天井部分が挙げられる。また、運転者が持つタバコの火を検知可能な位置としては、運転席上方の天井位置やその他、ステアリングホイール周りの位置等が挙げられる。
【００１７】
開閉制御装置１６は、例えば、ＣＰＵ、ＲＯＭおよびＲＡＭ等を備える一般的なマイクロコンピュータにより構成され、その演算動作はすべて予め格納されたソフトウェアプログラムによって実行される構成となっている。そして、上記熱源検知部１４からの出力に基づいて、熱源の存在が検知されると、駆動回路を通じて上記灰皿開閉機構１２を駆動させて、灰皿トレイ１０をダッシュボード２０から進出させて開く。一方、熱源検知部１４からの出力に基づいて、熱源の消滅が検知されると、駆動回路を通じて上記灰皿開閉機構１２を駆動させて、灰皿トレイ１０をダッシュボード２０内に退避移動させて閉じるようにする。なお、一時的にタバコの火が搭乗者或は物体の影に隠れてしまったときに、灰皿トレイ１０が閉じてしまわないように、予め設定された所定時間以上、熱源の消滅が継続していると判断されたときに、灰皿トレイ１０を閉じるとよい。
【００１８】
このように構成された灰皿装置の動作について説明する。
【００１９】
まず、運転者がダッシュボード２０に備えられたシガーライターやライター等を用いて、タバコに火を着けると、所定温度以上の熱源の存在が熱源検知部１４により検知され、その検知信号が開閉制御装置１６に与えられる。この検知信号を受けて、開閉制御装置１６は、灰皿開閉機構１２を駆動させて、灰皿トレイ１０を開く。これにより、運転者は開かれた灰皿トレイ１０に対してタバコの灰を落して捨てる等の所定の喫煙動作を行う。
【００２０】
そして、タバコを吸い終ると、タバコの火が着いている先端部を灰皿トレイ１０の火消部分に押付ける等して、消火する。
【００２１】
すると、熱源検知部１４により所定温度以上の熱源の不存在が検知される。これにより、開閉制御装置１６は、灰皿開閉機構１２を駆動させて、灰皿トレイ１０を閉じる。
【００２２】
以上のように構成された灰皿装置によると、車室内の熱源の有無に応じて灰皿トレイ１０を開閉するため、車室内でタバコに火が着けられると、灰皿トレイ１０が開き、該タバコの火が消されると、灰皿トレイ１０が閉じられる。このため、タバコの着火及び消火の際に、乗員、特に、運転者が手動で灰皿トレイ１０を開閉する必要はなく、灰皿トレイ１０の開閉による負担が軽減される。また、従来技術のように、タバコを吸い終っていない段階で火のついたタバコを灰皿に置いたときに、灰皿トレイ１０が閉じられてしまうようなことはなく、タバコの着火及び消火のタイミングに応じた適切なタイミングで灰皿トレイ１０を開閉することができる。
【００２３】
【発明の効果】
以上のように、この発明の請求項１記載の灰皿装置によると、車室内の熱源の有無に応じて灰皿トレイを開閉するため、車室内でタバコに火が着けられると、灰皿トレイが開き、該タバコの火が消されると、灰皿トレイが閉じられる。このため、乗員に対する負担を軽減しつつ、適切なタイミングで灰皿トレイを開閉することができる。
【図面の簡単な説明】
【図１】灰皿装置が適用された車室の一例を示す概略斜視図である。
【図２】灰皿装置の電気的構成を示すブロック図である。
【符号の説明】
１０  灰皿トレイ
１２  灰皿開閉機構
１４  熱源検知部
１６  開閉制御装置
【図１】
2004224256.tif 000003
【図２】
2004224256.tif 000004